【事件の表示】
　特許第３１５３６６９号「画像再生システム」の請求項１ないし４に係る特許に対する特許異議の申立てについて、次のとおり決定する。
【結　論】
　訂正を認める。
　特許第３１５３６６９号の請求項１ないし３に係る特許を取り消す。
【理　由】
１． 手続の経緯
　特許第３１５３６６９号の請求項１乃至４に係る発明は、平成５年３月２５日に特許出願され、平成１３年１月２６日にその特許権の設定登録がなされ、その後、和田悦子より特許異議の申立てがなされ、取消しの理由が通知され、その指定期間内である平成１４年５月７日に訂正請求がなされたものである。
　
２． 訂正の適否についての判断
（１） 訂正の内容
ア． 訂正事項ａ
　特許第３１５３６６９号の明細書中の特許請求の範囲（請求項２）において「第２の記録媒体」とあるのを、「第２の記録領域」と訂正し、特許第３１５３６６９号の明細書中の特許請求の範囲の請求項１乃至４において、もとの請求項１を削除し、これに伴い記載形式を訂正するともに、請求項２乃至４の請求項番号を繰り上げて新請求項１乃至３とし、さらに新請求項１における「読出手段」を、より下位概念に限定する。すなわち、
「【請求項１】　画像再生装置に画像記録媒体が装着されて該画像記録媒体からの画像データを前記画像再生装置にて読み出して、該画像データにて表わされる画像をモニタに表示する画像再生システムにおいて、前記画像記録媒体には、前記画像を表す画像データと、音楽を構成する少なくともメロディおよびリズムなどの音色を所定のコードにて表わした音楽データとが、該画像記録媒体のそれぞれ別の第１および第２の記録領域にそれぞれ対応して記録され、前記画像再生装置は、前記画像記録媒体の第１の記録領域から前記画像データを読み出すとともに、該画像データに対応する音楽データを第２の記録領域から読み出す読出手段と、該読出手段にて読み出された画像データの表す画像を前記モニタに表示する表示手段と、前記読出手段にて読み出された音楽データのコードを前記音色に再生して出力する再生手段とを有することを特徴とする画像再生システム。
【請求項２】　請求項１に記載の画像再生システムにおいて、前記画像記録媒体の第１の記録領域に、それぞれの画像データが記録され、第２の記録領域にそれぞれの音楽データが記録され、前記画像再生装置は、第１の記録領域から１つの画像データを読み出す際に第２の記録媒体から音楽データのいずれか１つを読み出して再生することを特徴とする画像再生システム。
【請求項３】　請求項１に記載の画像再生システムにおいて、前記画像再生装置は、前記音楽データを再生する音源を装置内部に前記再生手段として有することを特徴とする画像再生システム。
【請求項４】　請求項１に記載の画像再生システムにおいて、前記画像再生装置は、前記音楽データを再生する再生手段として外部音源が接続可能となっていることを特徴とする画像再生システム。」を、
「【請求項１】　画像再生装置に画像記録媒体が装着されて該画像記録媒体からの画像データを前記画像再生装置にて読み出して、該画像データにて表わされる画像をモニタに表示する画像再生システムにおいて、前記画像記録媒体には、前記画像を表す画像データと、音楽を構成する少なくともメロディおよびリズムなどの音色を所定のコードにて表わした音楽データとが、該画像記録媒体のそれぞれ別の第１および第２の記録領域にそれぞれ対応して記録され、前記画像記録媒体の第１の記録領域に、それぞれの画像データが記録され、第２の記録領域にそれぞれの音楽データが記録され、前記画像再生装置は、前記画像データに対応する前記音楽データの情報を前記画像記録媒体から読み取り、第１の記録領域から前記画像データを読み出すとともに、該画像データに対応する音楽データを第２の記録領域から読み出す読出手段と、該読出手段にて読み出された画像データの表す画像を前記モニタに表示する表示手段と、前記読出手段にて読み出された音楽データのコードを前記音色に再生して出力する再生手段とを有し、前記画像再生装置は、第１の記録領域から１つの画像データを読み出す際に第２の記録領域から音楽データのいずれか１つを読み出して再生することを特徴とする画像再生システム。
【請求項２】　請求項１に記載の画像再生システムにおいて、前記画像再生装置は、前記音楽データを再生する音源を装置内部に前記再生手段として有することを特徴とする画像再生システム。
【請求項３】　請求項１に記載の画像再生システムにおいて、前記画像再生装置は、前記音楽データを再生する再生手段として外部音源が接続可能となっていることを特徴とする画像再生システム。」と訂正する。
イ　訂正事項ｂ
　明細書原本における２頁１９行（段落０００３）（特許第３１５３６６９号公報３欄２７行）における「書き込こまれる」を「書き込まれる」に訂正する。
ウ　訂正事項ｃ
　明細書原本における６頁２９行（段落００１９）（特許第３１５３６６９号公報６欄３２行）における「記録されいた」の「れ」と「い」の間に「て」の１文字を挿入する。
エ　訂正事項ｄ
　明細書原本における９頁２６行（段落００２５）（特許第３１５３６６９号公報８欄４０行〜４１行）における「フォトCCD12」を「フォトCD12」に訂正する。
オ　訂正事項ｅ
　明細書原本における１０頁２９行（段落００２８）（特許第３１５３６６９号公報１０欄４行）における「流しもよい」の「し」と「も」の間に「て」の１文字を挿入する。
（２） 訂正の目的の適否、新規事項の有無及び拡張・変更の存否
　上記訂正事項ａについては、特許請求の範囲の訂正前の請求項２における記載「第２の記録媒体」なる誤記を、「第２の記録領域」に訂正するものであり、また、請求項１を削除するとともに、請求項２を独立記載形式に訂正し、請求項３および４をその従属クレームに訂正し、請求項番号を繰り上げるものであり、しかも、「前記画像データに対応する前記音楽データの情報を前記画像記録媒体から読み取り」する点は段落００２４に記載されているから、誤記の訂正および特許請求の範囲の減縮を目的とした明細書の訂正に該当し、上記訂正事項ｂ〜ｅについては、明らかに誤記の訂正を目的とした明細書の訂正に該当し、いずれも、新規事項の追加に該当せず、実質的に特許請求の範囲を拡張又は変更するものではない。
（３） むすび
　以上のとおりであるから、上記訂正は、特許法第１２０条の４第３項において準用する平成６年法律第１１６号による改正前の特許法第１２６条第１項ただし書、第２項及び第３項の規定に適合するので、当該訂正を認める。
　
３．請求項１乃至３に係る発明
　上記２．で示したように上記訂正が認められるから、本件の請求項１乃至３に係る発明（以下、「本件発明１乃至３」という。）は、上記訂正請求に係る訂正明細書の特許請求の範囲の請求項１乃至３に記載された事項により特定されるとおりのものである。（上記２．（１）ア参照）
　
４．刊行物に記載された発明
　刊行物１（甲第１号証）：特開平２−１４８０９０号公報（異議申立甲第１号証）
　刊行物２（甲第２号証）：特開平３―１１６４７４号公報
　当審が通知した取消理由に記載された上記刊行物には、それぞれ、以下の点が記載されている。
（１）刊行物１（甲第１号証）には、以下の点が記載されている。
「本発明の装置は、・・・（中略）・・・高精細度の静止画と、少ないデータ量による音楽を同時に提供するものである。」（２頁左上欄３〜５行）
「第１図は本発明の一実施例を示すブロック図で、１は映像と音声のデータを記録しておくデータ記録装置、２はカラー画像メモリで、データ記録装置１に格納された画像データを転送して一時ここに蓄える。３はノンインターレースによる表示装置で、カラー画像メモリ２に蓄えたデータをノンインターレースの映像信号として読み出し、ブラウン管に表示する。４はＭＩＤＩ規格による自動音楽演奏装置で、データ記録装置１に記録されたデータによりシンセサイザを駆動して音楽を自動演奏するものである。５はデータの転送や、画像や音楽の指定などこの装置全体を総合的に制御する制御装置である。第２図は主要部の具体的な回路の一例を示す。６は制御回路で、データの転送や各装置を制御を行っている。７はＣＤ−ＲＯＭプレーヤで、ＣＤ−ＲＯＭに記録された映像や音楽のデータを読み出す。８はカラー画像メモリで画面に対応するデータをＣＤ−ＲＯＭよりここに転送してくる。９はカラー画像メモリ８のデータを読み出し映像信号として出力するＣＲＴコントローラ、１０はディスプレイである。１１はＣＤ−ＲＯＭのデータに従いＭＩＤＩ信号を出力するＭＩＤＩシーケンサ、１２はＭＩＤＩ規格信号によって動作するシンセサイザ、１３は増幅器、１４はスピーカである。…（中略）…以上のように本発明の静止画表示および音楽演奏装置は、美術絵画鑑賞などに適した高品位な静止画面と音楽演奏を提供するものである。特に音楽演奏については、音符データを与えることで演奏を行わせる方式を取ることにより、必要なデータの量を大幅に削減することができ、実用上きわめて有利なものである。」（２頁右上欄１０行〜右下欄２行、１，２図）
　このことから、刊行物１には、以下の発明（以下「刊行物発明」という）が記載されている。
「高精細度の静止画と、少ないデータ量による音楽を同時に提供するものであって、ＣＤ−ＲＯＭに記録された映像や音楽のデータを読み出すＣＤ−ＲＯＭプレーヤ、ＣＤ−ＲＯＭに格納された画像データを転送して一時蓄えるカラー画像メモリ、カラー画像メモリに蓄えたデータをノンインターレースの映像信号として読み出し、ブラウン管に表示するノンインターレースによる表示装置、ＣＤ−ＲＯＭのデータに従いＭＩＤＩ信号を出力するＭＩＤＩシーケンサ、ＭＩＤＩ規格によって動作するシンセサイザ、増幅器、スピーカからなり、データ記録装置に記録されたデータによりシンセサイザを駆動して音楽を自動演奏する自動音楽演奏装置、データの転送や、画像や音楽の指定など装置全体を総合的に制御する制御装置を有する静止画表示および音楽演奏装置であって、美術絵画鑑賞などに適した高品位な静止画面と音楽演奏を提供するものであり、特に音楽演奏については、音符データを与えることで演奏を行わせる方式を取ることにより、必要なデータの量を大幅に削減することができる静止画表示および音楽演奏装置」
（２）刊行物２（甲第２号証）には、以下の点が記載されている。
「楽曲用サウンド情報と背景画像および歌詞用ビジュアル情報とを有するカラオケ用ＣＤＩディスクであって、
　ＣＤＩ規格のサブヘッダは、ファイル２バイト、チャンネル２バイト、サブモード２バイト、データタイプ２バイトによって構成されており、ファイル部分にはファイルナンバが、チャンネル部分にはチャンネルナンバがそれぞれ記録されており、サブモード部分にはサウンドデータがビジュアルデータかの区別等が、記録されているものであり、
　データエリアに、楽音の形成に使用されるサウンド情報と、背景画像と歌詞表示として使用されるビジュアル情報とを割り当てたカラオケ用ＣＤＩディスクは、セクタ番号１，５，９，・・・・で表される第１のチャンネルの各セクタには、それぞれ例えば第１のグループ（ファイル）のサウンド情報である１つの曲の楽音形成用信号が順次（規則的に）配設されており、セクタ番号４，８，１２，・・・・で表される第４チャンネルの各セクタには、第２のグループ（ファイル）のサウンド情報別の曲の楽音形成用信号が順次配設されており、セクタ番号２，３，６，７，１０，１１，１４，１５，１８，・・・（チャンネル２とチャンネル３）の各セクタには、第１のグループのビジュアル情報と、第２のグループのビジュアル情報とが混在して配置されており、
　サウンド情報を、上記データエリア内の所定セクタに、ＣＤＩ規格に基づいたサウンドレベルに応じて離散的に割り当て、このサウンド情報と牽連するビジュアル情報は背景画像を表示する第１のビジュアル情報と、該背景画像に関連した歌詞を表示する第２のビジュアル情報とを有し、これらの第１および第２のビジュアル情報を上記サウンド情報と同一の識別番号を付して残りの所定のセクタに割り当てることにより、これらのサウンド情報と第１および第２のビジュアル情報とで一組の情報グループを構成しており、
　ＣＤＩプレーヤによってＣＤＩディスクのトラックをスキャンする場合に第１の情報グループ（例えば第１の楽曲）を選択したとすると、各セクタのサブヘッダを読み取ってデータの内容を判断し、サウンド情報は順番にオーディオプロセッサに送られ、第１のビジュアル情報（自然画）、および、第２のビジュアル情報（文字）はビデオプロセッサに送られるものであり、楽曲と背景画像と歌詞とが一体として得られるものである」点
　
５．本件発明１について
（１）対比
　本件発明１と刊行物発明を対比すると、
ア　刊行物発明は、ＣＤ−ＲＯＭに記録された映像や音楽のデータを読み出すＣＤ−ＲＯＭプレーヤ、ＣＤ−ＲＯＭに格納された画像データを転送して一時蓄えるカラー画像メモリ、カラー画像メモリ２に蓄えたデータをノンインターレースの映像信号として読み出し、ブラウン管に表示する静止画表示および音楽演奏装置である。
　そして、刊行物発明の「ＣＤ−ＲＯＭ」「ＣＤ−ＲＯＭプレーヤ」「ブラウン管」「静止画表示および音楽演奏装置」は、それぞれ本願発明の「画像記録媒体」「画像再生装置」「モニタ」「画像再生システム」に相当する。
　したがって、刊行物発明は、本願発明の「画像再生装置に画像記録媒体が装着されて該画像記録媒体からの画像データを前記画像再生装置にて読み出して、該画像データにて表わされる画像をモニタに表示する画像再生システム」に相当する構成を有している。
イ　刊行物発明の「ＣＤ−ＲＯＭ」は、アにおいて述べたごとく本願発明の「画像記録媒体」に相当し、映像や音楽のデータが、それぞれ別の第１および第２の記録領域にそれぞれ対応して記録されているわけではないものの、ＣＤ−ＲＯＭに記録されており、当該音楽のデータは所定のコードである音符データ（ＭＩＤＩデータ）である。
　したがって、刊行物発明は、「画像記録媒体には、前記画像を表す画像データと、音楽を構成する少なくともメロディおよびリズムなどの音色を所定のコードにて表わした音楽データとが、該画像記録媒体の記録領域に記録され」ている点に対応する構成を有している。
ウ　刊行物発明は、高精細度の静止画と、少ないデータ量による音楽を同時に提供するものであって、ＣＤ−ＲＯＭに記録された映像や音楽のデータを読み出すものであり、ＣＤ−ＲＯＭに格納された画像データを転送して一時蓄えるカラー画像メモリ、カラー画像メモリ２に蓄えたデータをノンインターレースの映像信号として読み出し、ブラウン管に表示するノンインターレースによる表示装置を有し、一方、ＣＤ−ＲＯＭのデータに従いＭＩＤＩ信号を出力するＭＩＤＩシーケンサ、ＭＩＤＩ規格によって動作するシンセサイザ、増幅器、スピーカを有し、データ記録装置に記録されたデータによりシンセサイザを駆動して音楽を自動演奏する自動音楽演奏装置を有している静止画表示および音楽演奏装置である。
　したがって、刊行物発明は、本願発明の「画像再生装置は、音楽データの情報を前記画像記録媒体から読み取り、画像データを読み出すとともに、音楽データを読み出す読出手段と、該読出手段にて読み出された画像データの表す画像を前記モニタに表示する表示手段と、前記読出手段にて読み出された音楽データのコードを前記音色に再生して出力する再生手段とを有することを特徴とする画像再生システム」に対応する構成を有している。
エ　したがって、両者は「画像再生装置に画像記録媒体が装着されて該画像記録媒体からの画像データを前記画像再生装置にて読み出して、該画像データにて表わされる画像をモニタに表示する画像再生システムにおいて、前記画像記録媒体には、前記画像を表す画像データと、音楽を構成する少なくともメロディおよびリズムなどの音色を所定のコードにて表わした音楽データとが記録され、前記画像再生装置は、前記音楽データの情報を前記画像記録媒体から読み取り、前記画像データを読み出すとともに、音楽データを読み出す読出手段と、該読出手段にて読み出された画像データの表す画像を前記モニタに表示する表示手段と、前記読出手段にて読み出された音楽データのコードを前記音色に再生して出力する再生手段とを有することを特徴とする画像再生システム。」である点で一致し、次の点で相違しているものと認められる。
（ア）　本願発明は、画像と音楽のデータの記録が、「該画像記録媒体のそれぞれ別の第１および第２の記録領域にそれぞれ対応して」おり、「前記画像記録媒体の第１の記録領域に、それぞれの画像データが記録され、第２の記録領域にそれぞれの音楽データが記録され、前記画像再生装置は、前記画像データに対応する前記音楽データの情報を前記画像記録媒体から読み取り、第１の記録領域から前記画像データを読み出すとともに、該画像データに対応する音楽データを第２の記録領域から読み出す読出手段」を有し、「前記画像再生装置は、第１の記録領域から１つの画像データを読み出す際に第２の記録領域から音楽データのいずれか１つを読み出して再生する」ものであるのに対し、刊行物発明は「高精細度の静止画と、少ないデータ量による音楽を同時に提供するものであって、ＣＤ−ＲＯＭに記録された映像や音楽のデータを読み出す」ものである点
　
（２）相違点についての検討
ア　相違点（ア）について
　刊行物２記載のものは、データエリアのセクタ番号１，５，９，・・・・で表される第１のチャンネルおよびセクタ番号４，８，１２，・・・・で表される第４チャンネルの各セクタに、サウンド情報である楽音形成用信号が配置（記録）されており、セクタ番号２，３，６，７，１０，１１，１４，１５，１８，・・・（チャンネル２とチャンネル３）の各セクタには、サウンド情報と牽連（関連）する、背景画像を表示する第１のビジュアル情報と、該背景画像に関連した歌詞を表示する第２のビジュアル情報とが配置（記録）されているものである。
　すなわち、刊行物２記載のものは、対応する画像データと音楽データが、それぞれ別のチャンネルすなわちそれぞれ別の記録領域に記録されているものであり、しかもデータを離散的に配置するか否かは設計的事項にすぎないから、「画像記録媒体のそれぞれ別の第１および第２の記録領域にそれぞれ対応して」記録されており、「前記画像記録媒体の第１の記録領域に、それぞれの画像データが記録され、第２の記録領域にそれぞれの音楽データが記録され」ているものである。
　また、刊行物２記載のものは、第１および第２のビジュアル情報を上記サウンド情報と同一の識別番号を付して残りの所定のセクタに割り当てることにより、これらのサウンド情報と第１および第２のビジュアル情報とで一組の情報グループを構成しており、第１の情報グループ（例えば第１の楽曲）を選択したとすると、各セクタのサブヘッダを読み取ってデータの内容を判断し、サウンド情報は順番にオーディオプロセッサに送られ、第１のビジュアル情報（自然画）、および、第２のビジュアル情報（文字）はビデオプロセッサに送られるものであり、楽曲と関連する背景画像と歌詞とが一体として得られるものである。すなわち、各セクタのサブヘッダの情報グループのデータを読み取って、対応するサウンド情報データおよびビジュアル情報データをそれぞれの記録領域から読み出すものである。
　したがって、刊行物２記載のものは、前記画像データに対応する前記音楽データの情報を前記画像記録媒体から読み取り、第１の記録領域から前記画像データを読み出すとともに、該画像データに対応する音楽データを第２の記録領域から読み出す読出手段を有しているものであり、また、刊行物２記載のものは、対応する画像データと音楽データとが一体として、すなわち互いに付随して得られるものであるから、本願発明の「画像データを読み出す際に音楽データを読み出して再生する」点に対応する構成を有している。
　さらに、音楽データのいずれか１つを読み出すことは、音楽データと画像データとの対応関係の１変形にすぎないから、個々の実施態様において適宜なしうる設計的事項にすぎないものである。
　そして、刊行物２記載のものも、ＣＤから画像データ、音楽データを読み出すことにおいて刊行物発明と変わりないから、その採用については当業者が容易に推考できたものであり、また、上記相違点に基づく本願発明の効果に格別顕著なものは認められない。
　なお、平成１４年５月７日付け意見書において、当該刊行物２（取消理由通知では刊行物３）につき、画像と音声との対応の情報については記載がなく、読出手段の記載および示唆がない旨の主張がなされている。しかしながら、上記のごとく、刊行物２記載のものは、各セクタのサブヘッダの情報グループのデータを読み取って、対応するサウンド情報データおよびビジュアル情報データをそれぞれの記録領域から読み出すものであるから、当該刊行物２には、画像と音声との対応の情報および読出手段についての記載があるといえるので、当該主張を採用することができない。
　
６．本件発明２について
　本件発明２は、本件発明１に「音楽データを再生する音源を装置内部に前記再生手段として有する」点を実質的に付加したものであるところ、本件発明１についての５．における判断にさらに付記すると、上記付加した点に特段の創意工夫も必要ではないから、この点は、個々の実施態様に応じて適宜なしうる設計的事項にすぎない。
　
７．本件発明３について
　本件発明３は、本件発明１に「音楽データを再生する再生手段として外部音源が接続可能となっている」点を実質的に付加したものであるところ、本件発明１についての５．における判断にさらに付記すると、上記付加した点に特段の創意工夫も必要ではないから、この点は、個々の実施態様に応じて適宜なしうる設計的事項にすぎない。
　
８．むすび
　以上のとおりであるから、請求項１乃至３に係る発明の特許は、特許法第２９条第２項の規定に違反してされたものである。
　したがって、請求項１乃至３に係る発明の特許は、特許法第１１３条第２号に該当し、取り消されるべきものである。
　よって、結論のとおり決定する。
【異議決定日】
平成１４年５月２８日（２００２．５．２８）
【訂正の要旨】
訂正の内容
イ．訂正事項ａ
　特許第３１５３６６９号の明細書中の特許請求の範囲（請求項２）において「第２の記録媒体」とあるのを、「第２の記録領域」と訂正し、特許第３１５３６６９号の明細書中の特許請求の範囲の請求項１乃至４において、もとの請求項１を削除し、これに伴い記載形式を訂正するともに、請求項２乃至４の請求項番号を繰り上げて新請求項１乃至３とし、さらに新請求項１における「読出手段」を、より下位概念に限定する。すなわち、
「【請求項１】　画像再生装置に画像記録媒体が装着されて該画像記録媒体からの画像データを前記画像再生装置にて読み出して、該画像データにて表わされる画像をモニタに表示する画像再生システムにおいて、前記画像記録媒体には、前記画像を表す画像データと、音楽を構成する少なくともメロディおよびリズムなどの音色を所定のコードにて表わした音楽データとが、該画像記録媒体のそれぞれ別の第１および第２の記録領域にそれぞれ対応して記録され、前記画像再生装置は、前記画像記録媒体の第１の記録領域から前記画像データを読み出すとともに、該画像データに対応する音楽データを第２の記録領域から読み出す読出手段と、該読出手段にて読み出された画像データの表す画像を前記モニタに表示する表示手段と、前記読出手段にて読み出された音楽データのコードを前記音色に再生して出力する再生手段とを有することを特徴とする画像再生システム。
　【請求項２】　請求項１に記載の画像再生システムにおいて、前記画像記録媒体の第１の記録領域に、それぞれの画像データが記録され、第２の記録領域にそれぞれの音楽データが記録され、前記画像再生装置は、第１の記録領域から１つの画像データを読み出す際に第２の記録媒体から音楽データのいずれか１つを読み出して再生することを特徴とする画像再生システム。
　【請求項３】　請求項１に記載の画像再生システムにおいて、前記画像再生装置は、前記音楽データを再生する音源を装置内部に前記再生手段として有することを特徴とする画像再生システム。
　【請求項４】　請求項１に記載の画像再生システムにおいて、前記画像再生装置は、前記音楽データを再生する再生手段として外部音源が接続可能となっていることを特徴とする画像再生システム。」を、
「【請求項１】　画像再生装置に画像記録媒体が装着されて該画像記録媒体からの画像データを前記画像再生装置にて読み出して、該画像データにて表わされる画像をモニタに表示する画像再生システムにおいて、前記画像記録媒体には、前記画像を表す画像データと、音楽を構成する少なくともメロディおよびリズムなどの音色を所定のコードにて表わした音楽データとが、該画像記録媒体のそれぞれ別の第１および第２の記録領域にそれぞれ対応して記録され、前記画像記録媒体の第１の記録領域に、それぞれの画像データが記録され、第２の記録領域にそれぞれの音楽データが記録され、前記画像再生装置は、前記画像データに対応する前記音楽データの情報を前記画像記録媒体から読み取り、第１の記録領域から前記画像データを読み出すとともに、該画像データに対応する音楽データを第２の記録領域から読み出す読出手段と、該読出手段にて読み出された画像データの表す画像を前記モニタに表示する表示手段と、前記読出手段にて読み出された音楽データのコードを前記音色に再生して出力する再生手段とを有し、前記画像再生装置は、第１の記録領域から１つの画像データを読み出す際に第２の記録領域から音楽データのいずれか１つを読み出して再生することを特徴とする画像再生システム。
　【請求項２】　請求項１に記載の画像再生システムにおいて、前記画像再生装置は、前記音楽データを再生する音源を装置内部に前記再生手段として有することを特徴とする画像再生システム。
　【請求項３】　請求項１に記載の画像再生システムにおいて、前記画像再生装置は、前記音楽データを再生する再生手段として外部音源が接続可能となっていることを特徴とする画像再生システム。」と訂正する。
イ　訂正事項ｂ
　明細書原本における２頁１９行（段落０００３）（特許第３１５３６６９号公報３欄２７行）における「書き込こまれる」を「書き込まれる」に訂正する。
ウ　訂正事項ｃ
　明細書原本における６頁２９行（段落００１９）（特許第３１５３６６９号公報６欄３２行）における「記録されいた」の「れ」と「い」の間に「て」の１文字を挿入する。
エ　訂正事項ｄ
　明細書原本における９頁２６行（段落００２５）（特許第３１５３６６９号公報８欄４０行〜４１行）における「フォトＣＣＤ１２」を「フォトＣＤ１２」に訂正する。
オ　訂正事項ｅ
　明細書原本における１０頁２９行（段落００２８）（特許第３１５３６６９号公報１０欄４行）における「流しもよい」の「し」と「も」の間に「て」の１文字を挿入する。
（５４）【発明の名称】
画像再生システム
（５７）【特許請求の範囲】
　【請求項
１
画像再生装置に画像記録媒体が装着されて該画像記録媒体からの画像データを前記画像再生装置にて読み出して、該画像データにて表わされる画像をモニタに表示する
　
前記画像記録媒体には、前記画像を表す画像データと、音楽を構成する少なくともメロディおよびリズムなどの音色を所定のコードにて表わした音楽データとが、該画像記録媒体のそれぞれ別の第１および第２の記録領域にそれぞれ対応して記録され、
　前記画像記録媒体の第１の記録領域に、それぞれの画像データが記録され、第２の記録領域にそれぞれの音楽データが記録され、
　
前記画像再生装置は、前記画像データに対応する前記音楽データの情報を前記画像記録媒体から読み取り、第１の記録領域から前記画像データを読み出すとともに、該画像データに対応する音楽データを第２の記録領域から読み出す読出手段と、
　
該読出手段にて読み出された画像データの表す画像を前記モニタに表示する表示手段と、
　
前記読出手段にて読み出された音楽データのコードを前記音色に再生して出力する再生手段とを有し、
　前記画像再生装置は、第１の記録領域から１つの画像データを読み出す際に第２の記録
領域
　【請求項
２
　【請求項
３
【発明の詳細な説明】
　【０００１】
　【産業上の利用分野】
　本発明は、画像再生システムに係り、特に銀塩写真にて得られた画像データが記録された光ディスクなどから画像を再生する画像再生システムに関する。
　【０００２】
　【従来の技術】
　銀塩写真から得られる画像データは高解像度のデータを有している。たとえば３５ｍｍネガフィルムから得られる画像データは、約６万画素という他のデジタル画像では得られない多くの画素データを含む。近年、このような高解像度の画像データを追記可能な光ディスクまたは書き換え可能な光ディスクに記録する、いわゆるフォトＣＤ（コンパクトディスク）記録サービスが開始されている。
　【０００３】
　このサービスは、個人にて撮影したフィルムが現像所にて現像され、それらの現像されたフィルムがフィルムスキャナなどにて走査されてそれぞれの画像データが得られる。これら画像データは所定の画像処理装置に送られ、圧縮処理等が施されて順次ＣＤライタに供給される。ＣＤライタにおいてはレーザ光などにて光ディスクに順次画像データが書き
込ま
　【０００４】
　専用のフォトＣＤプレーヤでは、フォトＣＤから読み出した画像データをたとえばＮＴＳＣのテレビジョン受像機に表示する。この場合、画像は通常の全面表示が行なわれ、また回転またはズームなどの処理が行なえるように構成されていた。一方ＣＤ−Ｉプレーヤでは、フォトＣＤから読み出した画像データをＣＤ−Ｉのディスプレイに表示可能なデータ、たとえばデルタＹＵＶ変換して表示する。この場合、ＣＤ−Ｉプレーヤでの変換プログラムは、フォトＣＤの所定の領域にあらかじめ記録されておりまた、これにより、フォトＣＤプレーヤの場合と同様に画像の通常の表示、回転またはズームなどが行なわれるように構成されていた。
　【０００５】
　【発明が解決しようとする課題】
　しかしながら、上述した従来の技術においては、フォトＣＤに記録された画像データにて表わされる画像を単にテレビジョン受像機やディスプレイ等に表示するだけであり、画像を再生する際に音楽を流しながら鑑賞したいという要望があった。この場合、画像の表示に合わせてテープレコーダやＣＤプレーヤなどから音楽を流すことが考えられる。しかし、画像を再生するフォトＣＤプレーヤの他に音楽を再生するテープレコーダなどの別の装置が必要であり、また、これらの同期をとることが面倒であった。そこで、フォトＣＤに音楽ＣＤと同様の音楽情報を記録しておくことが考えられるが、音楽ＣＤのような、たとえば１６ビットデジタルオーディオのデータは６０分で６００メガバイトの容量が必要であり、これらを画像データとともに記録すると、フォトＣＤ本来の画像ＣＤとしての容量が大幅に減り、好ましくなかった。
　【０００６】
　本発明は、このような従来の技術の課題を解決して、画像情報を記録するフォトＣＤとしての本来的な目的を損なうことなく、画像再生の際に音楽を有効に流すことができる画像再生システムを提供することを目的とする。
　【０００７】
　【課題を解決するための手段】
　本発明は上記課題を解決するために、画像再生装置に画像記録媒体が装着されて、この画像記録媒体からの画像データを画像再生装置にて読み出して、この画像データにて表わされる画像をモニタに表示する画像再生システムにおいて、画像記録媒体には、銀塩写真のフィルムから得られた画像データが記録され、かつ音楽を構成する少なくともメロディおよびリズムなどの音色が所定のコードにて規定された音楽データが記録され、画像再生装置は、画像記録媒体から画像データおよび音楽データを読み出す読出手段と、この読出手段からの画像データをモニタに表示する表示手段と、読出手段からの音楽データを再生する再生手段とを有することを特徴とする。
　【０００８】
　この場合、画像記録媒体には、それぞれの画像データに対応して音楽データが記録され、画像再生装置は画像データの読み出しの際に対応する音楽データを読み出してそれぞれ再生するとよい。
　【０００９】
　また、画像記録媒体には、少なくとも１つの領域にそれぞれの画像データが記録され、この領域と異なる他の領域にそれぞれの音楽データが記録されて、画像再生装置は１つの領域から１つの画像データを読み出す際に他の領域から音楽データのいずれか１つを読み出して再生するとよい。
　【００１０】
　一方、画像再生装置は音楽データを再生する音源を再生手段として装置内部に有するとよい。また、画像再生装置は音楽データを再生する再生手段として外部音源が接続可能となっていると有利である。
　【００１１】
　【作用】
　本発明の画像再生システムによれば、画像記録媒体を画像再生装置に装着して画像記録媒体から画像データと音楽データを読み出す。画像再生装置では、読み出した画像データをそれぞれモニタの規格に応じて変換して表示する。これにともなって、画像再生装置は音楽データを再生手段にて再生する。これにより、モニタへの画像の表示にともなって音楽が流される。
　【００１２】
　【実施例】
　次に添付図面を参照して本発明による画像再生システムの実施例を詳細に説明する。図１には本発明による画像再生システムの一実施例が示されている。本実施例における画像再生システムは、銀塩写真にて得られた画像データが記録された光ディスクなどの画像記録媒体、いわゆるフォトＣＤ（コンパクトディスク）１２がフォトＣＤプレーヤなどの画像再生装置１０に装着されて、フォトＣＤ１２からの画像データにて表わされる画像がモニタ１４に表示される。特に、本実施例における画像再生システムでは、フォトＣＤ１２に画像データとともにＧＭ（Ｇｅｎｅｒａｌ　ＭＩＤＩ）規格の音楽データが記録され、これを音源２０を有するフォトＣＤプレーヤ１０にて読み出して再生しつつ、同時に画像をモニタ１４に表示する。
　【００１３】
　詳しくは本実施例におけるフォトＣＤは、図２に示すようにリードイン領域２０２と、ディレクトリ領域２０４と、画像データ領域２０８と、音楽データ領域２１０とが形成されている。リードイン領域２０２には、ディスク１２に記録されたデータの内容を表わす情報、いわゆるＴＯＣ（テーブルオブコンテンツ）が記録されている。ディレクトリ領域２０４には、それぞれの画像データの表題、記録年月日、撮影場所および対応する音楽などの情報が記録されている。
　【００１４】
　このディレクトリ領域２０４にはフォトＣＤ１２を専用のフォトＣＤプレーヤ１０以外のたとえばＣＤ−Ｉプレーヤにて再生する際に、フォトＣＤのＹＣデータにて表わされる画像データをＣＤ−Ｉ規格のデータ、たとえばデルタＹＵＶ変換してそのデータとする変換プログロムなどを含むＣＤ−Ｉアプリケーション２０６が記録されている。したがって、このフォトＣＤ１２は専用のフォトＣＤプレーヤ１０のみでなくＣＤ−Ｉプレーヤでも再生可能となっている。
　【００１５】
　画像データ領域２０８には、銀塩写真のたとえば３５ｍｍフィルムから得られた画像データが輝度（Ｙ）および色差（Ｃ）にて表されるＹＣデータにて記録され、有利には複数の解像度のデータが所定の圧縮処理にて圧縮されて記録されている。このデータ領域２０８には約１００コマ＃１〜＃１００の画像データが記録可能となっている。これら画像データの後のインデックス領域には画像データ＃１〜＃１００がそれぞれ縮小されて、複数の画像を１つの画面にて表わすためのインデックス表示用の画像データが記録されている。
　【００１６】
　音楽データ領域２１０には、メロディ、リズムなどの音色を所定のコードにて表わす、たとえばＧＭ規格の音楽情報が記録されている。ＧＭ規格の音楽情報は、メロディ音色、リズム音色、ボイス音色を含む。メロディ音色はプログラム番号１〜１２８にて表される１２８種類の楽器からなる。これらはピアノやオルガンなどの鍵盤楽器、ギターなどの弦楽器、サックスやオーボエなどの管楽器などがあり、さらにそれぞれの楽器の音程を３０〜６０のキー種類にて割り当てている。リズム音色は、ドラムやシンバルなどの打楽器に直接のキー種類にて割り当てられ、たとえば４７種類の音色数を有する。また、ボイス音色は、２４以上のボイスまたは１６ボイス以上のメロディ用ボイスおよび８ボイス以上のリズム用ボイスが用いられる。それぞれの楽器およびボイスのデータは、それらのオン／オフ、強さ、オン時間などのデータを含み、これらはシーケンサを用いた編集装置にて組み合わされて音楽データとして記録される。
　【００１７】
　図１に戻って、フォトＣＤプレーヤ１０の詳細を説明すると、このプレーヤ１０は、データ読出部１６と、データ処理部１８と、音源２０と、表示処理部２２と、デジタルアナログ（Ａ／Ｄ）変換器２４と、ＭＩＤＩインタフェース２６と、主制御回路２８とを有している。このプレーヤ１０には、ＮＴＳＣテレビジョン受像機などの画像再生用のモニタ１４と、音楽再生用のスピーカ５０とが接続されて、それぞれ画像および音楽が再生される。さらに外部音源またはＭＩＤＩ規格のキーボードなどのオプション機器６０も接続されるようになっている。
　【００１８】
　各部の詳細を説明すると、データ読出部１６は、光ピックアップ３０を含み、図示しないディスク駆動機構に装着されたディスク１２が回転されて、その記録面に形成されたピットにレーザ光を照射して、その反射光量を検出することによってディスク１２に記録されたデータを読み取る。このデータ読出部１６は、制御回路２８から制御信号を受けて、その制御に応じたデータをディスク１２から読み取り、読み出したデータをその出力３１に供給する。この出力３１はデータ処理部１８に接続されている。
　【００１９】
　データ処理部１８は、データ読出部１６にて読み出された読取信号を元のディジタル信号に変換して転送する変換回路である。このデータ処理部１８は、たとえば圧縮されて記録され
て
　【００２０】
　音源２０は、データ処理部１８からの音楽データを受けて、その楽器およびボイスデータを再生するＧＭ規格のオーディオ再生装置である。この音源２０は、ＭＩＤＩ規格に対応する少なくとも１６チャンネルを有し、たとえば第１チャネルにピアノ、第２チャネルにベース、第３チャネルにコード、第４チャネルにメロディなどが振り分けられ、特に第１０チャネルがリズムチャネルとなっている。これらはそれぞれのチャネル、ボイスメッセージを受けて個別にコントロールすることができ、それぞれびチャネルにて個別の音色の演奏ができる。それぞれのチャネルの楽器には、１〜１２８のプログラム番号が割り当てられてメロディ用の１２８音色をそれぞれ再生する。また、第１０チャネルには３５〜８１のキー番号によりリズム用の４８音色を再生する。ボイス音色は、トータル２４ボイス以上のダイナミックアロケートボイスまたは１６ボイス以上のメロディ用ボイスおよび８ボイス以上のリズム用ボイスのいずれかを再生可能となっている。この音源２０はそれぞれの楽器またはボイスデータをたとえば低周波発振器によるピッチ変調により０〜１２７の変化にて音色を発生する。また、それぞれの音色の音量も０〜１２７の範囲にて変化させ得る。この音源２０からのオーディオの再生信号は、スイッチ４０を介してスピーカ５０から発生される。
　【００２１】
　表示処理部２２は、バス３４に現われた画像データをモニタ１４に表示させるための映像信号に変換して、モニタ１４にその画像データが表わす画像を表示させる回路である。たとえば、本実施例における表示処理部２２は、ＮＴＳＣのテレビジョン受像器１４に画像を表示するため、ＮＴＳＣデコーダにて構成されている。一方、たとえばＣＤ−Ｉプレーヤの場合では、ＹＣデータをデルタＹＵＶ変換するデコーダが有利に用いられる。さらに、この表示処理部２２は、画像表示の際に画像の回転、拡大などを行なう機能を有し、この処理はたとえば１フレーム以上の容量を有するＶＲＡＭ（ビデオＲＡＭ）などにて行なわれる。
　【００２２】
　デジタルアナログ変換器３４は、外部音源またはキーボードなどのオプション機器６０からＭＩＤＩインタフェース２６およびデータ処理部１８を介して供給される音楽再生データをアナログ信号に変換して出力する変換器である。この場合、外部音源はフォトＣＤ１２からの音楽データを再生したデジタルのオーディオをデータ処理部１８を介して送る。この外部音源は、内部音源２０よりも細部まで規定された音源であり、フォトＣＤ１２の音楽データをより忠実に再生する。キーボードの場合には、モニタ１４の再生画像を見ながら操作者が直接演奏してもよい。このようなオーディオデータは、Ａ／Ｄ変換器３８からスイッチ４０を介してスピーカ５０に供給されて発音される。
　【００２３】
　主制御回路２８は、フォトＣＤプレーヤ１０の各部を制御する制御回路である。制御回路２８は、たとえば、マイクロプロセッサを含むコンピュータ回路にて構成されて、マイクロプロセッサを駆動するための基本制御プログラムに基づいて、制御動作を行なう機能を有している。この基本制御プログラムは、たとえば、制御回路２８に備えられた図示しないＲＯＭ（読出し専用メモリ）に格納されている。この制御回路２８は、データ読出部１６と、データ処理部１８と、音源２０と、表示処理部２２と、デジタルアナログ変換器２４とをそれぞれ制御して、モニタ１４への画像の表示とともに音楽の再生を制御する。この場合、制御回路２８は、プレーヤ１０の外面に備えられた操作部からの操作信号を受けて各部を制御する。たとえば、画像を選択する場合に、制御回路２８は、光ピックアップ３０を移動させてインデックス画像のデータをフォトＣＤ１２から読み取らせてデコーダ２２を介してモニタ１４に表示させ、所望の画像が選択されると、同様に光ピックアップ３０を移動させて、その画像データに対応する音楽データをフォトＣＤ１２から読み取らせる。また、この制御回路２８はデータ処理部１８を制御してこれらデータをデコーダ２２および音源２０にそれぞれ供給させ、それぞれを制御して画像の表示とともに音楽の再生を行なわせる。また、外部音源が接続されている場合には、データ処理部１８を制御して音楽データをＭＩＤＩインタフェース２６を介して外部音源に転送させ、さらにスイッチ４０を切り替えてその再生データをデジタルアナログ変換器２４を介してスピーカ５０に送らせる。さらに、この制御回路２８はキーボードが接続されている場合には、フォトＣＤ１２から画像データのみを読み出させて、キーボードからのオーディオ信号をデータ処理部１８に処理させて、Ａ／Ｄ変換器２４、スイッチ４０を介してスピーカ５０に送る。
　【００２４】
　以上のような構成において、本実施例による画像再生システムの動作を説明すると、まず、操作者はフォトＣＤプレーヤ１０の電源をオンとしてデータ読出部１６にフォトＣＤ１２を装着する。これにより、データ読出部１６はフォトＣＤ１２を回転させて主制御部２８の制御によりフォトＣＤ１２のリードイン領域２０２およびディレクトリ領域２０４を走査する。この結果、主制御部２８は画像データおよび音楽データの対応などの情報を読み取る。次いで、主制御部２８は光ピックアップ３０を移動させて画像データ領域２０６のインデックスデータを読み取らせる。このデータはデータ処理部１８に送られ、所定の処理が行われてデコーダ２２に送られる。デコーダ２２はこのインデックスデータをＮＴＳＣの信号に変換してモニタ１４に表示する。操作者は、モニタ１４に表示されたインデックス画像を見て、この中から所望の画像を選択する。
　【００２５】
　画像の選択が行なわれると、主制御部２８は光ピックアップ３０を移動させてその選択された画像のデータを回転するフォトＣＤ１２の画像データ領域２０６から読み出す。この画像データは上記と同様にデータ処理部１８に送られて所定の処理が施されてデコーダ２２に転送される。これにより、画像データはデコーダ２２によりＮＴＳＣの画像信号に変換されてモニタ１４に表示される。この間に、制御部２８は光ピックアップ３０をさらに移動させて読み出された画像データに対応する音楽データを
フォトＣＤ１２
　【００２６】
　曲が終了すると、主制御部２８は操作者の操作に従って上記と同様に次の画像データと、これに対応する音楽データを光ピックアップ３０により選択させてデータ処理部１８に読み出す。これにより、データ処理部１８は上記と同様に画像データをデコーダ２２に送ってモニタ１４に表示させ、音楽データを音源２０に送ってスピーカ５０から流す。このようにして、フォトＣＤ１２に記録された画像データが順次読み出されてそのデータにて表わされる画像がモニタ１４に表示されるのにともなって、対応するバックグラウンドミュージックが流される。
　【００２７】
　このように本実施例の画像再生システムによれば、音楽データがＧＭ規格などの所定のデータにてフォトＣＤ１２に記録されて、これを音源２０を有するフォトＣＤプレーヤ１０にて再生して画像の表示とともに音楽を流すので、自分の撮影した画像をモニタ１４にて楽しく鑑賞することができる。この場合、音楽データは楽器やボイスの音色のオン／オフ、強さ、特にオン時間などのデータにて表わされるので、オーディオ信号にて記録する場合に較べて少ない容量にてフォトＣＤ１２に記録されるので、大容量の画像データを圧迫することなくフォトＣＤ１２に有効に記録することができる。また、フォトＣＤプレーヤ１０に外部音源６０を接続することにより、音楽データをより忠実に再生して高音質なＢＧＭを再生することができる。さらに、音楽データをフォトＣＤ１２に記録したことにより、画像再生しつつ音楽を流す際に他のテープレコーダなどの機器を用いる必要がなく、システムを安価に構成することができる。
　【００２８】
　なお、上記実施例においては画像を順次操作者が選択する例を挙げて説明したが画像再生装置１０に自動再生、ランダム再生などの機能が設けられて、画像を順次自動再生してもよい。この場合、画像を変える毎に上記と同様にそれぞれの画像に対応する音楽を流してもよく、また、複数の画像の表示に対して１つの音楽を流し
て
　【００２９】
　【発明の効果】
　以上説明したように本発明による画像再生システムによれば、メロディ、リズムなどを所定のコードにて記録した音楽データを画像記録媒体に画像データとともに有効に記録したので、画像再生の際に他の音響機器を用いることなく音楽を画像の表示にともなって流すことができる。
【図面の簡単な説明】
　【図１】
　本発明による画像再生システムの一実施例を示すブロック図である。
　【図２】
　本実施例におけるディスクの記録領域を示す図である。
　【符号の説明】
　１０　フォトＣＤプレーヤ
　１２　ディスク
　１４　モニタ
　１６　データ読出部
　１８　データ処理部
　２０　音源
　２２　表示制御部
　２４　Ａ／Ｄ変換器
　２６　ＭＩＤＩインタフェース
　２８　制御回路
　５０　スピーカ
　６０　オプション機器